(57)【特許請求の範囲】
【請求項１】
基材（１１）と、
前記基材（１１）の内側表面（１１ｃ）に固定された導電性材料層（１２）と、を備え、
前記層（１２）が前記基材（１１）の一方の長手方向縁部（１１ａ）から他方の長手方向縁部（１１ｂ）に実質的に延びた長手方向スリット付き管状電磁遮蔽スリーブであって、
前記基材（１１）と前記層（１２）とが、前記基材（１１）の少なくとも１つの第１の長手方向縁部（１１ａ）において分割セグメント（１３）で分離されており、前記基材（１１）の第２の長手方向縁部（１１ｂ）が、前記基材（１１）の第１の長手方向縁部（１１ａ）と前記層（１２）との間で前記分割セグメント（１３）内にある、
ことを特徴とする電磁遮蔽スリーブ。
【請求項２】
前記層（１２）が、交互配置された銅線構造体で形成されている、
請求項１に記載の電磁遮蔽スリーブ。
【請求項３】
前記層（１２）が、編組銅線で形成されている、
請求項２に記載の電磁遮蔽スリーブ。
【請求項４】
前記基材（１１）が、重なりを有する自己巻き上がりストリップに熱成形されたシートの形態で製造されている、
請求項１ないし３の何れか１項に記載の電磁遮蔽スリーブ。
【請求項５】
前記基材（１１）が布地ストリップである、
請求項１ないし４の何れか１項に記載の電磁遮蔽スリーブ。
【請求項６】
前記基材が、織布である、
請求項１ないし５の何れかの１項に記載の電磁遮蔽スリーブ。
【請求項７】
前記導電性材料層（１２）が、前記スリーブ（１０）の長手方向に延びるステッチの１つ又はそれ以上の列（１６、１６’、１６”）によって前記基材（１１）に固定されている、
請求項１ないし６の何れか１項に記載の電磁遮蔽スリーブ。
【請求項８】
前記分割セグメント（１３）が、９０゜にほぼ等しい角度（α）の範囲を定める、
請求項１ないし７の何れか１項に記載の電磁遮蔽スリーブ。
【請求項９】
前記スリーブ（１０）の他方の長手方向縁部（１０ｂ）上の一方の長手方向縁部（１０ａ）の重なり部分（１５）が、６０゜から９０゜の角度（β）の範囲を定める、
請求項１ないし８の何れか１項に記載の電磁遮蔽スリーブ。
【請求項１０】
前記スリーブ（１０）の第２の長手方向縁部（１０ｂ）が、前記分割セグメント（１３）において前記基材（１１）と前記層（１２）との間に挿入されるように構成されている、
請求項１ないし９の何れか１項に記載の電磁遮蔽スリーブ。
【請求項１１】
前記基材（１１）と前記層（１２）とが、前記スリーブ（１０）の第１の長手方向縁部（１０ａ）と前記スリーブ（１０）の第２の長手方向縁部（１０ｂ）とにそれぞれ隣接する分割セグメント（１３、１３’）上で分離されている、
請求項１ないし９の何れか１項に記載の電磁遮蔽スリーブ。
【請求項１２】
特に航空技術分野における電気ケーブル（１４）の束を保護するための請求項１から請求項１１の何れか１つに記載の遮蔽スリーブの使用。
【発明の詳細な説明】
【技術分野】
【０００１】
本発明は、電気ケーブル束を保護するために、特に航空技術の分野で用いる電磁遮蔽スリーブに関する。
【背景技術】
【０００２】
本発明は、一般に、電磁干渉及び高周波干渉から保護する目的で電磁遮蔽により電線、ケーブル、或いは電線の束を保護することに適用される。
【０００３】
このタイプの電磁保護は、自動車、鉄道用ケーブル配線及び航空分野で日常的に使用される。
【０００４】
電磁干渉保護基準は、各用途分野ごとに作成され、自動車分野では４０から４５ｄＢ程度、或いは航空分野では８０から９０ｄＢ程度の保護が要求される可能性がある。
【０００５】
例えば、電磁保護を与える銅又はニッケルで被覆されたポリエステル織地の自己閉鎖スリーブが、自動車分野において公知である。
【０００６】
織物スリーブの外側表面を重ね合わせ、この部分で折り畳んだ長手方向縁部が銅対銅の接点を形成することによって、電気的導通性が与えられる。
【０００７】
上述の種類の保護スリーブは、特許文献ＥＰ１  １７５  ６８３に詳細に記載されている。
【０００８】
しかしながら、この種類のスリーブは、干渉に対して低い保護しか提供できず、従って航空分野に転用することは困難である。
【０００９】
航空分野においては、電磁遮蔽の点で最大効率は、例えば、銅編組の形態での銅線の使用によって得られる。
【００１０】
従来方法においては、銅線が、例えば約７５％の被覆率で保護されるべきケーブルの周囲に編み重ねられる。航空分野において要求される被覆率は９０％を超える場合が多い。
【００１１】
織物フィラメントで編み重ねた層を付加して、ケーブル束と銅遮蔽の機械的保護を形成することができる。
【発明の開示】
【発明が解決しようとする課題】
【００１２】
しかしながら、上述の遮蔽は、ケーブル束に適合させるのが困難である。
【００１３】
その上、ケーブル束を組み込み、これらの使用可能な構成で接続された場合には、遮蔽及び機械的保護要素を維持し交換することは特に困難であり、或いは不可能でさえある。
【００１４】
本発明の目的は、上述の問題を解決することであり、特に航空分野においてより低コストで効率的な遮蔽をもたらす電磁遮蔽スリーブを提案することである。
【課題を解決するための手段】
【００１５】
この目的のため、本発明は、長手方向スリット付き管状電磁遮蔽スリーブに関し、スリーブは基材と、基材の内側表面に固定され、基材の１つの長手方向縁部からその他方の長手方向縁部に実質的に延びる導電性材料層とを備えている。
【００１６】
本発明によれば、前記基材と導電性材料層とは、少なくとも１つの第１の長手方向縁部において分割セグメントで分離されている。
【００１７】
従って、この分割セグメントは、基材の第２の長手方向縁部を収容するように適合されたハウジングを形成し、その結果、基材の一方の縁部から他方の縁部までに固定された導電性材料の層において電気的導通を形成することができる。
【００１８】
この分割セグメントによって、電気的導通をスリーブ内部に形成することができ、その結果、電気的接触のこの区域が、スリーブの外側表面上で基材の第１の長手方向縁部によって保護される。
【００１９】
更にまた、長手方向スリット付き基材のおかげで、ケーブル束がこれらの最終用途に配置されていても、スリーブを適合させるのが容易であり、特に、摩耗したスリーブを交換するのが容易である。これにより、メンテナンス及び後付け操作が容易になる。
【００２０】
本発明の好ましい実施形態において、前記導電性材料層は、インターリーブした銅線構造体で形成され、ケーブル束の効率的な遮蔽を確保するための高密度の銅を提供する。
【００２１】
編組銅線構造体は、保護されるべきケーブルの周りの導電性材料による高い被覆率をもたらす。
【００２２】
本発明の別の好ましい特徴によれば、基材は、重なり部を有する自己巻き上がりストリップに熱成形されたシートの形態で作製される。
【００２３】
従って、基材のこの形状は、スリーブの分割セグメント内に電気的導通性を形成する重なりを有したスリーブを適合させるのを極めて容易にする。
【００２４】
従って、スリーブの第２の長手方向縁部は、分割セグメント内で基材と導電性材料層との間に挿入するように適合される。
【００２５】
このスリーブは、航空分野において電気ケーブル束を保護するために特に好適であるが、自動車及び鉄道部門においても同様に用いることができる。
【００２６】
本発明の更なる特徴及び利点は、以下の説明を通して明らかになる。
添付図面では、非限定的な実施例として提供される。
【発明を実施するための最良の形態】
【００２７】
最初に図１を参照して、本発明の電磁遮蔽スリーブの一般的な原理を説明する。
【００２８】
スリーブ１０の一般的な形状は、スリット付きチューブの形状である。
【００２９】
本発明の実例において、スリーブは、より詳細には、長手方向スリット付きチューブを形成するためそれ自体の上で巻き上がるように構成された基材１１を備える。
【００３０】
この基材は、好ましくは、熱成形シートの形態で平坦なストリップから作製される。熱成形作業は、平坦なストリップを重なりのある自己巻き上がりストリップに変換し、スリーブの長手方向縁部１０ａ、１０ｂが、重なり部分で互いに接触するように構成されている。
【００３１】
基材は、好ましくは織布ストリップである。織物フィラメントは、例えば、ポリエステル・モノフィラメント及び／又はマルチフィラメントとすることができる。
【００３２】
例えば、ポリフェニレンサルファイド（ＰＰＳ）フィラメントを使用することができる。
【００３３】
もしくは、基材は、ｄｕ  Ｐｏｎｔ  ｄｅ  Ｎｅｍｏｕｒｓ製ＮＯＭＥＸ（登録商標）で製造することができる。
【００３４】
ＮＯＭＥＸ（登録商標）又はＰＰＳ基材は、保護されるべきケーブルの効果的な機械的保護を与える。
【００３５】
ＮＯＭＥＸ（登録商標）基材は、良好な耐火性の追加の利点を有する。
【００３６】
本発明によれば、この織物基材１１は、導電性材料層１２と組み合わされる。
【００３７】
層１２は、好ましくは、編組銅線で形成される。
【００３８】
錫メッキ或いはニッケルメッキ銅線を使用することができ、０．１０ｍｍから０．２５ｍｍ、好ましくは０．１２ｍｍから０．１５ｍｍの直径を有する銅線を編み組し、導電性材料の細長いストリップを形成することができる。
【００３９】
編み組み技術は、銅による被覆率が、そのストリップの全面積の９２％程度であるストリップを形成する。
【００４０】
この銅層１２は、基材の１つの長手方向縁部１１ａからその他方の長手方向縁部１１ｂに延びるように基材の内側表面１１ｃに固定される。
【００４１】
図１に明確に示されるように、この伝導性材料層は、スリーブ１０の限定された長手方向部分の上にだけ延びることができる。
【００４２】
勿論、この層１２はスリーブの全長にわたって均等に延びることができる。
【００４３】
図２に明確に示されるように、第１の実施形態において、基材１１と層１２とは、基材１１の第１の長手方向縁部１１ａに沿った分割セグメント１３において分離されている。
【００４４】
従って、この分割セグメント１３において、スリーブの第２の長手方向縁部１０ｂは、基材１１と層１２との間に挿入することができる。
【００４５】
分割セグメント１３は、この分割セグメント１３内への第２の長手方向縁部１０ｂの十分な挿入を可能とするのに十分な角度αの範囲を定める。
【００４６】
角度αは、例えば、実質的に９０゜に等しものとすることができる。
【００４７】
図３に明確に示されるように、このスリーブ１０がケーブル１４の束の周りにフィットされると、スリーブ１０の第２の長手方向縁部１０ｂは、導電性材料の層１２と基材との間、より詳細には基材の第１の長手方向縁部１１ａとの間に挿入され、その結果、銅層１２の長手方向縁部１２ａ、１２ｂ間の接触によって、層１２において電気的導通性を得ることができる。
【００４８】
このように、スリーブ１０の一方の長手方向縁部１０ａが、その他方の長手方向縁部１０ｂに重なる重なり部分１５が存在する。この重なり部分１５は、管状基材１１の長手方向軸線に対して６０°から９０゜の角度βの範囲を定める。
【００４９】
この重なり部分１５は、保護されるべきケーブル１４の束の直径に応じてより大きく又はより小さくなり、重要なことは、２つの長手方向縁部の間の良好な接触を有することである。
【００５０】
以下、本発明の電磁遮蔽スリーブの第２の実施形態を、図４及び図５を参照して説明する。
【００５１】
この実施形態において、基材１１と導電性材料層１２とは、２つの分割セグメント１３及び１３’で分離され、これらのうちの一方の分割セグメント１３は、スリーブ１０の第１の長手方向縁部１０ａに隣接し、他方の分割セグメント１３’は、スリーブの第２の長手方向縁部１０ｂに隣接する。
【００５２】
従って、図５で明確に示されるように、これらの分割セグメント１３、１３’は、重なり部分１５’で交互に配置され、その結果、導電層の縁部１２ａ、１２ｂがスリーブの内側で互いに接触するようになり、基材の長手方向縁部１１ａ、１１ｂがスリーブの外側で互いに接触するようになる。
【００５３】
従って、上述の両方の実施形態において、導電性材料層１２の電気的導通性がスリーブ１０内部で形成され、基材１１は、この接触部分を被覆して電気的接続を機械的に維持する。
【００５４】
このようにして信頼性があり効率的な遮蔽が得られ、遮蔽は航空用ケーブル束に好適である。
【００５５】
この電磁遮蔽スリーブは、例えば、スリーブ１０の長手方向に延びるステッチ１６、１６’、１６”の１つ又はそれ以上の列を用いて、基材１１に対して導電性材料層１２を縫い合せることにより製造することができる。
【００５６】
ステッチ１６’の列の少なくとも１つは、スリーブの１つの長手方向縁部１０ａから十分に離れており、長手方向縁部の近傍での基材と層１２との分離を可能にする。
【００５７】
基材が熱成形された織布ストリップである場合には、銅編組は、熱成形段階の前に一連のステッチによって織布ストリップに固定される。
【００５８】
代替的に、このスリーブは、管状織りプロセスによって形成することができ、１つの層は銅線で作製され、且つ１つの層は織物フィラメントで作製される。この種の二重織りプロセスは、スリーブの製造中に銅層を織物フィラメント層に固定する操作を排除することになる。
【００５９】
従って、本発明の電磁遮蔽スリーブは、保護されるべきケーブル束が、例えばエンジン内に設置されて接続されている場合でも、効率的な遮蔽を達成し、且つケーブル束の周囲で使用するのが容易である。
【００６０】
勿論、上述の実施形態に対しては、本発明の範囲を逸脱することなく多くの修正を行うことができる。
【００６１】
詳細には、分割セグメントがスリーブの両方の長手方向縁部に設けられている第２の実施形態において、基材と導電性材料層の両方を備える長手方向縁部の一方は、他方の長手方向縁部の基材及び伝導性材料層間に一体的に挿入することができる。
【００６２】
更に、導電性材料の２つの縁部１２ａ、１２ｂの重なりの小さな面積を生成して電気的導通性が形成することを満足する場合には、導電性材料層１２の縁部１２ａ，１２ｂが、基材１１の長手方向縁部１１ａ、１１ｂよりも長いか、又は短い距離を延びることができる。
【００６３】
更に、管状スリーブは、自己巻き上がりストリップからではなく、ケーブル束の周囲に巻き上げられて、スリーブの長さに沿って分布したケーブル・タイ又はリングのような固定手段によって当該位置に保持されるように適合された平らなストリップから形成することができる。
【００６４】
更にまた、基材は、編まれた又は編み組まれた布地のストリップから形成することができる。
【００６５】
同様に、導電性材料層は織られた銅線で作ることができる。
【図面の簡単な説明】
【００６６】
【図１】本発明の電磁遮蔽スリーブの透視図である。
【図２】本発明の電磁遮蔽スリーブの第１の実施形態を示す図である。
【図３】ケーブル束の周囲に適合された本発明の電磁遮蔽スリーブの第１の実施形態の断面図である。
【図４】本発明の電磁遮蔽スリーブの第２の実施形態の端面図である。
【図５】ケーブル束の周囲に適合された本発明の電磁遮蔽スリーブの第２の実施形態の断面図である。
【図１】
0004688107.tif 000002
【図２】
0004688107.tif 000003
【図３】
0004688107.tif 000004
【図４】
0004688107.tif 000005
【図５】
0004688107.tif 000006